(57)【要約】【課題】機器本体の取り外しを簡単にできる車載用機器を提供する。【解決手段】車両に固定された枠状ブラケット１１の開口部から挿入され、当該に枠状ブラケット１１に収容される機器本体２と、前記機器本体２に設けられ当該機器本体２を前記枠状ブラケット１１にロックするロック部材１０とを備えた車載用機器１であって、前記枠状ブラケット１１に形成された開口１８ａ、１８ｂに係合する係止凸部１５を有する弾性変形可能な複数のロック爪１３ａ、１３ｂを前記ロック部材１０に設け、各ロック爪１３ａ、１３ｂを互いに略平行に配列すると共に、各ロック爪１３ａ、１３ｂと略直交する方向から各ロック爪１３ａ、１３ｂに順次当接し、各ロック爪１３ａ、１３ｂを弾性変形させて各係合凸部１５の係合を解くようにリリースキー３０をガイドするガイド部２０を設けた。【選択図】図１
2007253717.tif 000002
【特許請求の範囲】
【請求項１】
車両に固定された収納部の開口部から挿入され、当該に収納部に収容される機器本体と、前記機器本体に設けられ当該機器本体を前記収納部にロックするロック部材とを備えた車載用機器であって、
前記収納部に形成された係合穴に係合する係合部を有する弾性変形可能な複数の係合片を前記ロック部材に設け、各係合片を互いに略平行に配列すると共に、
前記ロック部材の各係合片と略直交する方向から各係合片に順次当接し、各係合片を弾性変形させて各係合片の係合部の係合を解くようにロック解除部材をガイドするガイド部を設けた
ことを特徴とする車載用機器。
【請求項２】
請求項１に記載の車載用機器において、
前記ロック部材の複数の係合片を前記機器本体の前面に向けて延びるように配列すると共に、前記ロック解除部材を挿入する挿入口を前記機器本体の底面に設けたことを特徴とする車載用機器。
【請求項３】
請求項２に記載の車載用機器において、
前記機器本体の前面に設けられるパネルを備え、
前記パネルの底面に前記挿入口を設けたことを特徴とする車載用機器。
【発明の詳細な説明】
【技術分野】
【０００１】
本発明は、カーオーディオ等の車載用機器に係り、特に、車両に固設された枠状ブラケットに車載用機器を取り付ける技術に関する。
【背景技術】
【０００２】
従来、車両に搭載される車載用機器、特に、カーオーディオ等の音響機器においては、車両に固定された枠状ブラケットに機器本体を挿入すると共に、枠状ブラケットに係合して機器本体をロックするロック機構を設けることで、車載用機器の盗難防止を図るようにしたものが知られている。この種のロック機構は、一般に、枠状ブラケットに設けられた係止部と、機器本体に設けられ上記係止部に嵌合する係止爪とを備えて構成されている。また、機器本体には、解除部材が挿入可能な解除部材挿入用孔が設けられており、この解除部材により係止爪の係止を解除するように構成されている（例えば、特許文献１参照）。
【特許文献１】特開平８−２５８６３１号公報
【発明の開示】
【発明が解決しようとする課題】
【０００３】
しかしながら、従来の技術にあっては、係止爪ごとに解除部材挿入用孔が設けられており、メンテナンス等のためにユーザや作業者が車載用機器を車両から取り外すためには、解除部材挿入用孔のそれぞれに解除部材を挿入して、各係合爪の係合を解かねばならず、機器の取り外し作業が繁雑であるといった問題がある。
本発明は、上述した事情に鑑みてなされたものであり、機器本体の取り外しを簡単にできる車載用機器を提供することを目的とする。
【課題を解決するための手段】
【０００４】
上記目的を達成するために、本発明は、車両に固定された収納部の開口部から挿入され、当該に収納部に収容される機器本体と、前記機器本体に設けられ当該機器本体を前記収納部にロックするロック部材とを備えた車載用機器であって、前記収納部に形成された係合穴に係合する係合部を有する弾性変形可能な複数の係合片を前記ロック部材に設け、各係合片を互いに略平行に配列すると共に、前記ロック部材の各係合片と略直交する方向から各係合片に順次当接し、各係合片を弾性変形させて各係合片の係合部の係合を解くようにロック解除部材をガイドするガイド部を設けたことを特徴とする。
【０００５】
また本発明は、上記発明において、前記ロック部材の複数の係合片を前記機器本体の前面に向けて延びるように配列すると共に、前記ロック解除部材を挿入する挿入口を前記機器本体の底面に設けたことを特徴とする。
【０００６】
また本発明は、上記発明において、前記機器本体の前面に設けられるパネルを備え、前記パネルの底面に前記挿入口を設けたことを特徴とする。
【発明の効果】
【０００７】
本発明によれば、ロック部材の各係合片を互いに略平行に配列すると共に、ロック部材の各係合片と略直交する方向から各係合片に順次当接し、各係合片を弾性変形させて各係合片の係合部の係合を解くようにロック解除部材をガイドするガイド部を設けたため、ロック解除部材をガイド部に一度だけガイドさせる操作を行うだけで、ロック部材の全ての係合片の係合を解くことができる。
【発明を実施するための最良の形態】
【０００８】
以下、図面を参照して本発明の実施の形態について説明する。
図１は、本実施形態に係る車載用機器１の構成を示す斜視図である。この図に示すように、車載用機器１は、機器本体２と、機器本体２の前面に配置されるパネル３とを備えている。パネル３は、機器本体２の前面に固定されるパネルフレーム４と、当該パネルフレーム４に螺旋止め固定されるパネル体５とを備え、音声や映像を記録したＣＤやＤＶＤ等の光ディスクを挿脱するためのディスク挿入口６がパネルフレーム４及びパネル体５に形成され、また、パネル体５には図示せぬ表示パネルや複数の操作子が配設されている。パネルフレーム４及びパネル体５は機器本体２の横幅よりも幅広に形成され、また、パネル体５にはパネルフレーム４の周囲を囲む縁部７が形成されている。
【０００９】
図２は、機器本体２の構成を示す斜視図である。なお、この図では、図面が煩雑になるのを避けるため機器本体２に内蔵される光ディスク駆動機構等の各種機構の図示を省略している。図２に示すように、機器本体２は、前面が開口する略箱形に形成された本体フレーム８と、この本体フレーム８の左右の側面９の前面側にそれぞれ配設されたロック部材１０とを有し、車両に固定された枠状ブラケット１１に本体フレーム８（機器本体２）が収容される。
【００１０】
上記ロック部材１０は、上下に延びた略矩形の固定部１２と、この固定部１２の上下端に設けられ、当該固定部１２と略直交する方向に互いに略平行に延びるロック爪１３ａ、１３ｂとを備えて全体的に略コ字状に構成されており、ロック爪１３ａ、１３ｂが前面側に向けて略水平に延びる姿勢で本体フレーム８にビス止め固定される。これらのロック爪１３ａ、１３ｂは板ばねで形成されており、図２及び図３に示すように、先端部１４が内側（本体フレーム８側）に向けて略Ｌ字状に折り曲げられて、外側に突出した係止凸部１５が形成されている。
【００１１】
また、枠状ブラケット１１の両側面には、上記ロック部材１０の係止凸部１５が入り込む穴１６ａ、１６ｂが形成されており、機器本体２を枠状ブラケット１１の開口部から挿入すると、ロック爪１３ａ、１３ｂが枠状ブラケット１１に押されて内側に向けて変形し、機器本体２が定位置まで挿入されると、ロック爪１３ａ、１３ｂの係止凸部１５が枠状ブラケット１１の穴１６ａ、１６ｂに入り込み自然状態に戻る。この状態で、ロック爪１３ａ、１３ｂが機器本体２を枠状ブラケット１１にロックする。
【００１２】
次いで、ロック爪１３ａ、１３ｂによる機器本体２のロックを解除するロック解除機構について説明する。
【００１３】
前掲図２に示すように、本体フレーム８の前面開口の左右両側には、本体フレーム８の側面９が前面側に延び出た部分を略Ｌ字に折り曲げてなるプレート部１７が設けられ、このプレート部１７には、横長の開口１８ａ、１８ｂが上下に並んで形成されている。これらの開口１８ａ、１８ｂからは、ロック爪１３ａ、１３ｂの先端に形成された突起１９ａ、１９ｂが前面に向けて突出し、開口１８ａ、１８ｂによってロック爪１３ａ、１３ｂの弾性変形に伴う突起１９ａ、１９ｂの移動がガイドされる。また、前掲図１に示すように、本体フレーム８の前面開口を覆うパネルフレーム４には、上記プレート１７部に設けられた開口１８ａ、１８ｂを横断して延びるガイド部２０が設けられている。
【００１４】
図４は、パネルフレーム４を取り付けた状態の機器本体２の底面の一部を示す図である。この図に示すように、上記ガイド部２０は、パネルフレーム４を断面略コ字状に絞り加工して形成され、上記プレート部１７との間にリリースキー３０の挿入口２１を形成する。また、ガイド部２０には、前掲図１に示すように、上記プレート部１７の開口１８ａ、１８ｂに対応する位置に開口２３ａ、２３ｂが形成され、これらの開口２３ａ、２３ｂからは、図４に示すように、ロック爪１３ａ、１３ｂの突起１９ａ、１９ｂが突出している。
【００１５】
前掲図１に示すように、パネル体５の縁部７には、挿入口２１の対向する箇所、すなわち、底面側にリリースキー３０の挿入口２２が形成されている。そして、この挿入口２２からリリースキー３０が挿入され、上記本体フレーム８の挿入口２１に挿入されてガイド部２０にガイドされることになる。リリースキー３０は、上記ガイド部２０にガイドされる長い平板状のキー本体部３１と、このキー本体部３１の後端側がＬ字状に折り曲げられて成る把持部３２とを備え、キー本体部３１の先端が斜めにカットされて傾斜部３３が形成されている。
【００１６】
機器本体２のロックを解除する場合には、機器本体２の底面側から上記リリースキー３０を挿入口２２、２１を通し、そのままガイド部２０に差し込む。このとき、リリースキー３０の先端がロック爪１３ａ、１３ｂの突起１９ａ、１９ｂに順番に当接し、図５に仮想線にて示すように、各突起１９ａ、１９ｂが、リリースキー３０の先端の傾斜部３３に沿って機器本体２側に移動される。これにより、ロック爪１３ａ、１３ｂの係止凸部１５が枠状ブラケット１１の穴１６ａ、１６ｂから順次外れて全ての係合が解かれてロックが解除され、車載用機器１を枠状ブラケット１１から引き出し可能となる。これとは逆に、リリースキー３０をガイド部２０から引き出すと、ロック爪１３ａ、１３ｂの弾力により突起１９ａ、１９ｂが元の位置に移動させられ、ロック爪１３ａ、１３ｂの係止凸部１５が枠状ブラケット１１の穴１６ａ、１６ｂに入り込みロック状態に戻る。
【００１７】
このように、本実施形態によれば、ロック部材１０の各ロック爪１３ａ、１３ｂを互いに略平行に配列すると共に、ロック部材１０の各ロック爪１３ａ、１３ｂと略直交する方向から各ロック爪１３ａ、１３ｂに順次当接し、各ロック爪１３ａ、１３ｂを弾性変形させて係止凸部１５と枠状ブラケット１１の穴１６ａ、１６ｂとの係合を解くようにリリースキー３０をガイドするガイド部２０を設けたため、ユーザや作業者等は、リリースキー３０をガイド部２０に一度だけガイドさせるように操作するだけで、ロック部材１０が備える全てのロック爪１３ａ、１３ｂの係合を一度に解き、車載用機器１を簡単に取り外すことができる。
【００１８】
また、本実施形態によれば、ロック部材１０の各ロック爪１３ａ、１３ｂを機器本体２の前面に向けて延びるように配列すると共に、リリースキー３０を上記ガイド部２０に挿入するための挿入口２２をパネル体５の底面側に設けたため、挿入口２２を前面から見え難くし、パネル体５の意匠も害されることがない。
【００１９】
なお、上述した実施の形態は、あくまでも本発明の一態様を示すものであり、本発明の範囲内で任意に変形および応用が可能であることは勿論である。
【図面の簡単な説明】
【００２０】
【図１】本発明の実施形態に係る車載用機器の構成を示す斜視図。
【図２】機器本体の構成を示す斜視図。
【図３】ロック部材の構成を示す斜視図。
【図４】リリースキー挿入口を示す図。
【図５】ロック部材のロック状態及びロック解除状態を説明するための図。
【符号の説明】
【００２１】
１  車載用機器
２  機器本体
３  パネル
４  パネルフレーム
５  パネル体
１０  ロック部材
１１  枠状ブラケット（収納部）
１３ａ、１３ｂ  ロック爪（係合片）
１５  係止凸部（係合部）
１８ａ、１８ｂ  開口（係合穴）
２０  ガイド部
２１、２２  挿入口
３０  リリースキー（ロック解除部材）
【図１】
2007253717.tif 000003
【図２】
2007253717.tif 000004
【図３】
2007253717.tif 000005
【図４】
2007253717.tif 000006
【図５】
2007253717.tif 000007